(57)【要約】【課題】移動局ＵＥのＤＲＸ状態を柔軟に変更する。【解決手段】本発明に係る移動局ＵＥにおいて、制御部２２は、移動局ＵＥの受信状態を連続受信状態として管理しており、かつ、移動局ＵＥの受信状態をＳｈｏｒｔ-ＤＲＸ状態に遷移させることができるように設定されている場合であっても、無線基地局からＭＡＣ-ＣＥによって移動局ＵＥの受信状態をＬｏｎｇ-ＤＲＸ状態に遷移させるように指示された場合には、移動局ＵＥの受信状態をＳｈｏｒｔ-ＤＲＸ状態に遷移させることなくＬｏｎｇ-ＤＲＸ状態に遷移させるように構成されている。【選択図】図４
2014072637.tif 000002
【特許請求の範囲】
【請求項１】
移動局であって、
前記移動局の受信状態を、連続受信状態、第１間欠受信周期で間欠受信を行う第１間欠受信状態、或いは、該第１間欠周期よりも長い周期である第２間欠受信周期で間欠受信を行う第２間欠受信状態のいずれかとして管理するように構成されている制御部を具備しており、
前記制御部は、前記移動局の受信状態を前記連続受信状態として管理している場合に、第１条件が満たされたことを検知すると、該移動局の受信状態を前記第１間欠受信状態に遷移させるように構成されており、
前記制御部は、前記移動局の受信状態を前記第１間欠受信状態として管理している場合に、第２条件が満たされたことを検知すると、該移動局の受信状態を前記第２間欠受信状態に遷移させるように構成されており、
前記制御部は、前記移動局の受信状態を前記連続受信状態として管理しており、かつ、前記移動局の受信状態を前記第１間欠受信状態に遷移させることができるように設定されている場合であっても、無線基地局からＭＡＣレイヤにおける制御要素によって該移動局の受信状態を該第２間欠受信状態に遷移させるように指示された場合には、該移動局の受信状態を該第１間欠受信状態に遷移させることなく該第２間欠受信状態に遷移させるように構成されていることを特徴とする移動局。
【請求項２】
前記ＭＡＣレイヤにおける制御要素は、前記移動局に対して間欠受信状態に遷移させるために用いられるものであり、
前記制御部は、前記ＭＡＣレイヤにおける制御要素に関する所定情報を受信している場合、該ＭＡＣレイヤにおける制御要素によって前記移動局の受信状態を該第２間欠受信状態に遷移させるように指示されていると判断するように構成されていることを特徴とする請求項１に記載の移動局。
【請求項３】
無線基地局であって、
前記移動局の受信状態を、連続受信状態と、第１間欠受信周期で間欠受信を行う第１間欠受信状態と、該第１間欠周期よりも長い周期である第２間欠受信周期で間欠受信を行う第２間欠受信状態との間で遷移させることができるように構成されている制御部と、
前記移動局の受信状態が前記連続受信状態であり、該移動局の受信状態が前記第１間欠受信状態に遷移させることができるように設定されている場合に、ＭＡＣレイヤにおける制御要素によって、該移動局の受信状態を該第１間欠受信状態に遷移させることなく該第２間欠受信状態に遷移させるための指示を行うように構成されている送信部とを具備することを特徴とする無線基地局。
【請求項４】
前記制御部は、前記移動局のトラフィック及び該移動局の種別の少なくとも１つに基づいて、前記指示を行うか否かについて決定するように構成されていることを特徴とする請求項３に記載の無線基地局。
【請求項５】
前記制御部は、前記移動局によって送信された情報に基づいて、前記指示を行うか否かについて決定するように構成されていることを特徴とする請求項３に記載の無線基地局。
【請求項６】
前記ＭＡＣレイヤにおける制御要素は、前記移動局に対して間欠受信状態に遷移させるために用いられるものであり、
前記送信部は、前記ＭＡＣレイヤにおける制御要素に関する所定情報によって、該ＭＡＣレイヤにおける制御要素によって該移動局の受信状態を該第１間欠受信状態に遷移させることなく該第２間欠受信状態に遷移させるための指示を行うように構成されていることを特徴とする請求項３に記載の無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式では、移動局ＵＥのバッテリセービングを目的に、「ＲＲＣ_Ｃｏｎｎｅｃｔｅｄ状態」の移動局ＵＥをＤＲＸ（Ｄｉｓｃｏｎｔｉｕｏｕｓ  Ｒｅｃｅｐｔｉｏｎ）状態に遷移させる制御を行うことができるように規定されている。
【０００３】
具体的には、ＤＲＸ状態の移動局ＵＥは、Ａｃｔｉｖｅ状態とＩｎａｃｔｉｖｅ状態との間を遷移するように構成されている。
【０００４】
ここで、Ａｃｔｉｖｅ状態の移動局ＵＥは、ＰＤＣＣＨ（物理下りリンク制御チャネル）を監視し、無線基地局ｅＮＢに対して、フィードバック情報、例えば、ＣＱＩ（Ｃｈａｎｎｅｌ  Ｑｕａｌｉｔｙ  Ｉｎｄｉｃａｔｏｒ）やＰＭＩ（Ｐｒｅｃｏｄｉｎｇ  Ｍａｔｒｉｘ  Ｉｎｄｅｘ）やＲＩ（Ｒａｎｋ  Ｉｎｄｉｃａｔｏｒ）やＰＴＩ（Ｐｒｅｃｏｄｉｎｇ  Ｔｙｐｅ  Ｉｎｄｉｃａｔｏｒ）等を報告するように構成されている。
【０００５】
一方、Ｉｎａｃｔｉｖｅ状態の移動局ＵＥは、ＰＤＣＣＨを監視せず、無線基地局ｅＮＢに対して、フィードバック情報を報告しないように構成されているため、移動局ＵＥのバッテリセービングを実現することができる。
【０００６】
以下のいずれかのケースにおいて、移動局ＵＥは、Ａｃｔｉｖｅ状態となり、それ以外のケースにおいて、移動局ＵＥは、Ｉｎａｃｔｉｖｅ状態となる。
【０００７】
-  「Ｏｎ  ｄｕｒａｔｉｏｎ  ｔｉｍｅｒ」、「ｄｒｘ-ＩｎａｃｔｉｖｉｔｙＴｉｍｅｒ」、「ｄｒｘ-ＲｅｔｒａｎｓｍｉｓｓｉｏｎＴｉｍｅｒ」及び「ｍａｃ-ｃｏｎｔｅｎｓｉｏｎＲｅｓｏｌｕｔｉｏｎＴｉｍｅｒ」のいずれかが起動しているケース
-  スケジュール要求（Ｓｃｈｅｄｕｌｉｎｇ  Ｒｅｑｕｅｓｔ）を送信したケース
-  上りリンクにおけるＨＡＲＱ（Ｈｙｂｒｉｄ  ＡＲＱ）再送のための「ＵＬ  ｇｒａｎｔ」が割り当てられるケース
-  ランダムアクセス応答（Ｒａｎｄｏｍ  Ａｃｃｅｓｓ  Ｒｅｓｕｐｏｎｓｅ）を受信した後、ＰＤＣＣＨを介して、新規送信を指示する下りリンク制御信号を受信していないケース
図７及び図８に、ＤＲＸ状態に遷移するように設定されている移動局ＵＥの動作を示す。
【０００８】
また、図９に示すように、ＤＲＸ状態としては、Ｓｈｏｒｔ-ＤＲＸ周期で間欠受信を行うＳｈｏｒｔ-ＤＲＸ状態と、Ｓｈｏｒｔ-ＤＲＸ周期よりも長い周期であるＬｏｎｇ-ＤＲＸ周期で間欠受信を行うＬｏｎｇ-ＤＲＸ状態の２種類が存在する。
【０００９】
なお、Ｓｈｏｒｔ-ＤＲＸ状態は、オプション機能である、すなわち、移動局ＵＥは、Ｓｈｏｒｔ-ＤＲＸ状態に遷移することができないように構成されていてもよい。
【００１０】
また、移動局ＵＥは、無線基地局ｅＮＢによって移動局ＵＥの受信状態をＳｈｏｒｔ-ＤＲＸ状態に遷移させることができるように設定されている場合にのみ、移動局ＵＥの受信状態をＳｈｏｒｔ-ＤＲＸ状態に遷移させるように構成されている。
【００１１】
Ｓｈｏｒｔ-ＤＲＸ状態では、ＤＲＸ周期が短い分、データ送受信の再開までの遅延は比較的短いが、バッテリセービングの効果も小さい。
【００１２】
一方、Ｌｏｎｇ-ＤＲＸ状態は、必須機能である、すなわち、移動局ＵＥは、ＤＲＸがＣｏｎｆｉｇｕｒｅされている場合、必ず、Ｌｏｎｇ-ＤＲＸ状態に遷移することができるように構成されている。
【００１３】
Ｌｏｎｇ-ＤＲＸ状態では、ＤＲＸ周期が長い分、データ送受信の再開までの遅延は比較的長いが、バッテリセービングの効果は大きい。
【００１４】
例えば、移動局ＵＥは、「ｄｒｘ-ＩｎａｃｔｉｖｉｔｙＴｉｍｅｒ」の満了や、ＤＲＸ-ｃｏｍｍａｎｄ  ＭＡＣ-ＣＥ（Ｍｅｄｉａ  Ａｃｃｅｓｓ  Ｃｏｎｔｒｏｌ-Ｃｏｎｔｒｏｌ  Ｅｌｅｍｅｎｔ）の受信等によって、移動局ＵＥの受信状態をＤＲＸ状態に遷移させることを決定した場合、図９に示すように、無線基地局ｅＮＢによって移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）には、「Ｓｈｏｒｔ  ＤＲＸ  ｔｉｍｅｒ」を起動し、移動局ＵＥの受信状態をＳｈｏｒｔ-ＤＲＸ状態に遷移させる。
【００１５】
その後、移動局ＵＥは、「Ｓｈｏｒｔ  ＤＲＸ  ｔｉｍｅｒ」が満了した場合、移動局ＵＥの受信状態をＬｏｎｇ-ＤＲＸ状態に遷移させる。
【００１６】
かかる動作は、移動局ＵＥにおける送受信データが存在しないことを担保した上で、移動局ＵＥの受信状態をＳｈｏｒｔ-ＤＲＸ状態に遷移させることを意図している。
【００１７】
なお、移動局ＵＥは、移動局ＵＥの受信状態をＤＲＸ状態に遷移させることを決定した場合、無線基地局ｅＮＢによって移動局ＵＥの受信状態をＳｈｏｒｔ-ＤＲＸ状態に遷移させることができるように設定されていない場合（すなわち、Ｓｈｏｒｔ-ＤＲＸがＣｏｎｆｉｇｕｒｅされていない場合）には、移動局ＵＥの受信状態をＬｏｎｇ-ＤＲＸ状態に遷移させる。
【先行技術文献】
【非特許文献】
【００１８】
【非特許文献１】３ＧＰＰ  ＴＳ３６.３２１
【発明の概要】
【発明が解決しようとする課題】
【００１９】
しかしながら、上述のＬＴＥ方式或いはＬＴＥ-Ａｄｖａｎｃｅｄ方式では、移動局ＵＥは、移動局ＵＥの受信状態をＤＲＸ状態に遷移させることを決定した場合、無線基地局ｅＮＢによって移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）には、送受信すべきデータが存在しない場合であっても、図１０に示すように、まずは、移動局ＵＥの受信状態をＳｈｏｒｔ-ＤＲＸ状態に遷移させなければならないため、柔軟に、移動局ＵＥのＤＲＸ状態を変更することができないという問題点があった。
【００２０】
そこで、本発明は、上述の課題に鑑みてなされたものであり、移動局ＵＥのＤＲＸ状態を柔軟に変更することができる移動局及び無線基地局を提供することを目的とする。
【課題を解決するための手段】
【００２１】
本発明の第１の特徴は、移動局であって、前記移動局の受信状態を、連続受信状態、第１間欠受信周期で間欠受信を行う第１間欠受信状態、或いは、該第１間欠周期よりも長い周期である第２間欠受信周期で間欠受信を行う第２間欠受信状態のいずれかとして管理するように構成されている制御部を具備しており、前記制御部は、前記移動局の受信状態を前記連続受信状態として管理している場合に、第１条件が満たされたことを検知すると、該移動局の受信状態を前記第１間欠受信状態に遷移させるように構成されており、前記制御部は、前記移動局の受信状態を前記第１間欠受信状態として管理している場合に、第２条件が満たされたことを検知すると、該移動局の受信状態を前記第２間欠受信状態に遷移させるように構成されており、前記制御部は、前記移動局の受信状態を前記連続受信状態として管理しており、かつ、前記移動局の受信状態を前記第１間欠受信状態に遷移させることができるように設定されている場合であっても、無線基地局からＭＡＣレイヤにおける制御要素によって該移動局の受信状態を該第２間欠受信状態に遷移させるように指示された場合には、該移動局の受信状態を該第１間欠受信状態に遷移させることなく該第２間欠受信状態に遷移させるように構成されていることを要旨とする。
【００２２】
本発明の第２の特徴は、無線基地局であって、前記移動局の受信状態を、連続受信状態と、第１間欠受信周期で間欠受信を行う第１間欠受信状態と、該第１間欠周期よりも長い周期である第２間欠受信周期で間欠受信を行う第２間欠受信状態との間で遷移させることができるように構成されている制御部と、前記移動局の受信状態が前記連続受信状態であり、該移動局の受信状態が前記第１間欠受信状態に遷移させることができるように設定されている場合に、ＭＡＣレイヤにおける制御要素によって、該移動局の受信状態を該第１間欠受信状態に遷移させることなく該第２間欠受信状態に遷移させるための指示を行うように構成されている送信部とを具備することを要旨とする。
【発明の効果】
【００２３】
以上説明したように、本発明によれば、移動局ＵＥのＤＲＸ状態を柔軟に変更することができる移動局及び無線基地局を提供することができる。
【図面の簡単な説明】
【００２４】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る無線基地局及び移動局の動作を説明するための図である。
【図５】本発明の第１の実施形態に係る移動局の動作を示すフローチャートである。
【図６】本発明の変更例１に係る移動局の動作を示すフローチャートである。
【図７】従来技術を説明するための図である。
【図８】従来技術を説明するための図である。
【図９】従来技術を説明するための図である。
【図１０】従来技術を説明するための図である。
【発明を実施するための形態】
【００２５】
（本発明の第１の実施形態に係る移動通信システム）
図１乃至図５を参照して、本発明の第１の実施形態に係る移動通信システムについて説明する。
【００２６】
本実施形態に係る移動通信システムは、ＬＴＥ方式又はＬＴＥ-Ａｄｖａｎｃｅｄ方式の移動通信システムであって、図１の例では、無線基地局ｅＮＢと、無線基地局ｅＮＢ配下のセルにおいて「ＲＲＣ_Ｃｏｎｎｅｃｔｅｄ状態」の移動局ＵＥとを具備している。
【００２７】
また、本実施形態に係る移動通信システムでは、無線基地局ｅＮＢは、移動局ＵＥに対して、ＲＲＣ（Ｒａｄｉｏ  Ｒｅｓｏｕｒｃｅ  Ｃｏｎｔｒｏｌ）シグナリングを用いて、ＤＲＸ状態に遷移するように設定することができるように構成されている。
【００２８】
図２に示すように、本実施形態に係る無線基地局ｅＮＢは、制御部１１と、送信部１２とを具備している。
【００２９】
制御部１１は、無線基地局ｅＮＢにおける各種制御を行うように構成されている。例えば、制御部１１は、ＤＲＸ状態の移動局ＵＥに係る制御等を行うように構成されている。
【００３０】
具体的には、制御部１１は、移動局ＵＥの受信状態を、連続受信状態と、Ｓｈｏｒｔ-ＤＲＸ状態と、Ｌｏｎｇ-ＤＲＸ状態との間で遷移させることができるように構成されている。
【００３１】
例えば、制御部１１は、移動局ＵＥのトラフィック（例えば、バックグランドトラフィック等）及び移動局ＵＥの種別（例えば、バッテリ持ちの悪い移動局ＵＥであるか否か等）の少なくとも１つに基づいて、上述の指示を行うか否かについて決定するように構成されていてもよい。
【００３２】
或いは、制御部１１は、移動局ＵＥによって送信された情報（例えば、ＰＰＩ：Ｐｏｗｅｒ  Ｐｒｅｆｅｒｅｎｃｅ  Ｉｎｄｉｃａｔｉｏｎ等）に基づいて、上述の指示を行うか否かについて決定するように構成されていてもよい。
【００３３】
送信部１２は、移動局ＵＥに対して、各種信号を送信するように構成されている。例えば、送信部１２は、移動局ＵＥに対して、ＲＲＣシグナリングやＭＡＣ-ＣＥ等を送信するように構成されている。
【００３４】
具体的には、送信部１２は、移動局ＵＥに対して、ＲＲＣシグナリングによって、上述の移動局ＵＥの受信状態の遷移を指示するように構成されている。
【００３５】
また、送信部１２は、移動局ＵＥの受信状態が連続受信状態であり、移動局ＵＥの受信状態がＳｈｏｒｔ-ＤＲＸ状態に遷移させることができるように設定されている場合に、ＭＡＣ-ＣＥ（以下、Ｌｏｎｇ-ＤＲＸ  ＭＡＣ-ＣＥ）によって、移動局ＵＥの受信状態をＳｈｏｒｔ-ＤＲＸ状態に遷移させることなくＬｏｎｇ-ＤＲＸ状態に遷移させるための指示を行うように構成されている。
【００３６】
かかるＬｏｎｇ-ＤＲＸ  ＭＡＣ-ＣＥは、ＬＴＥ方式又はＬＴＥ-Ａｄｖａｎｃｅｄ方式で新規に規定されるＭＡＣ-ＣＥである。
【００３７】
図３に示すように、本実施形態に係る移動局ＵＥは、受信部２１と、制御部２２とを具備している。
【００３８】
受信部２１は、無線基地局ｅＮＢから、各種信号を受信するように構成されている。例えば、受信部２１は、無線基地局ｅＮＢから、ＲＲＣシグナリングやＭＡＣ-ＣＥ等を受信するように構成されている。
【００３９】
制御部２２は、移動局ＵＥにおける各種制御を行うように構成されている。例えば、制御部２２は、移動局ＵＥの受信状態の遷移に係る制御等を行うように構成されている。
【００４０】
例えば、制御部２２は、移動局ＵＥの受信状態を管理するように構成されている。具体的には、制御部２２は、移動局ＵＥの受信状態を、連続受信状態、Ｓｈｏｒｔ-ＤＲＸ状態、或いは、Ｌｏｎｇ-ＤＲＸ状態のいずれかとして管理するように構成されている。
【００４１】
制御部２２は、移動局ＵＥの受信状態を連続受信状態として管理している場合に、第１条件が満たされたことを検知すると、移動局ＵＥの受信状態をＳｈｏｒｔ-ＤＲＸ状態に遷移させるように構成されている。
【００４２】
例えば、第１条件としては、「ｄｒｘ-ＩｎａｃｔｉｖｉｔｙＴｉｍｅｒ」の満了や、移動局ＵＥにおけるＤＲＸ-ｃｏｍｍａｎｄ  ＭＡＣ-ＣＥの受信等が想定される。
【００４３】
また、制御部２２は、移動局ＵＥの受信状態をＳｈｏｒｔ-ＤＲＸ状態として管理している場合に、第２条件が満たされたことを検知すると、移動局ＵＥの受信状態をＬｏｎｇ-ＤＲＸ状態に遷移させるように構成されている。
【００４４】
例えば、第２条件としては、「Ｓｈｏｒｔ  ＤＲＸ  ｔｉｍｅｒ」の満了等が想定される。
【００４５】
さらに、図４に示すように、制御部２２は、移動局ＵＥの受信状態を連続受信状態として管理しており、かつ、移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）であっても、無線基地局ｅＮＢから、Ｌｏｎｇ-ＤＲＸ  ＭＡＣ-ＣＥによって移動局ＵＥの受信状態をＬｏｎｇ-ＤＲＸ状態に遷移させるように指示された場合には、移動局ＵＥの受信状態をＳｈｏｒｔ-ＤＲＸ状態に遷移させることなくＬｏｎｇ-ＤＲＸ状態に遷移させるように構成されている。
【００４６】
以下、図５を参照して、本実施形態に係る移動局ＵＥの受信状態が連続受信状態であり、かつ、移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）の移動局ＵＥの動作について説明する。
【００４７】
図５に示すように、かかる移動局ＵＥは、ステップＳ１０１において、無線基地局ｅＮＢから、Ｌｏｎｇ-ＤＲＸ  ＭＡＣ-ＣＥを受信したか否かについて判定する。
【００４８】
「Ｙｅｓ」の場合、本動作は、ステップＳ１０２に進み、「Ｎｏ」の場合、本動作は、終了する。
【００４９】
ステップＳ１０２において、移動局ＵＥは、移動局ＵＥの受信状態をＳｈｏｒｔ-ＤＲＸ状態に遷移させることなくＬｏｎｇ-ＤＲＸ状態に遷移させる。
【００５０】
本実施形態に係る移動通信システムによれば、移動局ＵＥは、移動局ＵＥの受信状態を連続受信状態として管理しており、かつ、移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）であっても、無線基地局ｅＮＢから、Ｌｏｎｇ-ＤＲＸ  ＭＡＣ-ＣＥによって移動局ＵＥの受信状態をＬｏｎｇ-ＤＲＸ状態に遷移させるように指示された場合には、移動局ＵＥの受信状態をＳｈｏｒｔ-ＤＲＸ状態に遷移させることなくＬｏｎｇ-ＤＲＸ状態に遷移させるように構成されているため、移動局ＵＥのＤＲＸ状態を柔軟に変更することができる。
【００５１】
（変更例１）
図６を参照して、本発明の変更例１に係る移動通信システムについて、上述の第１の実施形態に係る移動通信システムとの相違点に着目して説明する。
【００５２】
本変更例１に係る移動通信システムでは、上述のＬｏｎｇ-ＤＲＸ  ＭＡＣ-ＣＥの代わりに、既存のＭＡＣ-ＣＥ（例えば、ＤＲＸ-ｃｏｍｍａｎｄ  ＭＡＣ-ＣＥ）を用いるように構成されている。
【００５３】
３ＧＰＰのＴＳ３６.３２１に規定されているＤＲＸ-ｃｏｍｍａｎｄ  ＭＡＣ-ＣＥは、移動局ＵＥに対してＤＲＸ状態に遷移させるために用いられるものであり、ＭＡＣサブヘッダのみで構成されている（すなわち、ペイロードを有していない）ため、Ｂａｃｋｗａｒｄ  Ｃｏｍｐａｔｉｂｉｌｉｔｙを考慮すると、かかるＤＲＸ-ｃｏｍｍａｎｄ  ＭＡＣ-ＣＥの構成を拡張することは困難である。
【００５４】
したがって、無線基地局ｅＮＢの送信部１２は、移動局ＵＥに対して、既存のＤＲＸ-ｃｏｍｍａｎｄ  ＭＡＣ-ＣＥを送信する際に、かかるＤＲＸ-ｃｏｍｍａｎｄ  ＭＡＣ-ＣＥの読み替え指示を通知することによって、移動局ＵＥの受信状態をＬｏｎｇ-ＤＲＸ状態に遷移させるための指示を行うように構成されている。
【００５５】
ここで、送信部１２は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、かかる読み替え指示を通知してもよい（例えば、かかるＤＲＸ-ｃｏｍｍａｎｄ  ＭＡＣ-ＣＥを送信するＰＤＣＣＨと共に通知してもよい）し、ＲＲＣレイヤやＰＤＣＰ（Ｐａｃｋｅｔ  Ｄａｔａ  Ｃｏｎｖｅｒｇｅｎｃｅ  Ｐｒｏｔｏｃｏｌ）レイヤやＲＬＣ（Ｒａｄｉｏ  Ｌｉｎｋ  Ｃｏｎｔｒｏｌ）レイヤやＭＡＣ（Ｍｅｄｉａ  Ａｃｃｅｓｓ  Ｃｏｎｔｒｏｌ）レイヤ等の任意のメッセージによって、かかる読み替え指示を通知してもよい。
【００５６】
すなわち、送信部１２は、ＤＲＸ-ｃｏｍｍａｎｄ  ＭＡＣ-ＣＥの読み替えを指示しておくことによって、かかるＤＲＸ-ｃｏｍｍａｎｄ  ＭＡＣ-ＣＥにより、移動局ＵＥの受信状態をＳｈｏｒｔ-ＤＲＸ状態に遷移させることなくＬｏｎｇ-ＤＲＸ状態に遷移させるための指示を行うように構成されていてもよい。
【００５７】
また、移動局ＵＥの制御部２２は、かかるＤＲＸ-ｃｏｍｍａｎｄ  ＭＡＣ-ＣＥの読み替えが指示されている場合、かかるＤＲＸ-ｃｏｍｍａｎｄ  ＭＡＣ-ＣＥによって移動局ＵＥの受信状態をＬｏｎｇ-ＤＲＸ状態に遷移させるように指示されていると判断するように構成されていてもよい。
【００５８】
以下、図６を参照して、本変更例１に係る移動局ＵＥの受信状態が連続受信状態であり、かつ、移動局ＵＥの受信状態をＳｈｏｒｔ-ＤＲＸ状態に遷移させることができるように設定されている場合（すなわち、Ｓｈｏｒｔ-ＤＲＸがＣｏｎｆｉｇｕｒｅされている場合）の移動局ＵＥの動作について説明する。
【００５９】
図６に示すように、かかる移動局ＵＥは、ステップＳ２０１において、無線基地局ｅＮＢから、ＤＲＸ-ｃｏｍｍａｎｄ  ＭＡＣ-ＣＥを受信したか否かについて判定する。
【００６０】
「Ｙｅｓ」の場合、本動作は、ステップＳ２０２に進み、「Ｎｏ」の場合、本動作は、終了する。
【００６１】
ステップＳ２０２において、移動局ＵＥは、かかるＤＲＸ-ｃｏｍｍａｎｄ  ＭＡＣ-ＣＥと共に、上述の読み替え指示が通知されているか否かについて判定する。
【００６２】
「Ｙｅｓ」の場合、本動作は、ステップＳ２０３に進み、「Ｎｏ」の場合、本動作は、ステップＳ２０４に進む。
【００６３】
ステップＳ２０３において、移動局ＵＥは、移動局ＵＥの受信状態をＳｈｏｒｔ-ＤＲＸ状態に遷移させることなくＬｏｎｇ-ＤＲＸ状態に遷移させる。
【００６４】
一方、ステップＳ２０４において、移動局ＵＥは、移動局ＵＥの受信状態をＳｈｏｒｔ-ＤＲＸ状態に遷移させる。
【００６５】
以上に述べた本実施形態の特徴は、以下のように表現されていてもよい。
【００６６】
本実施形態の第１の特徴は、移動局ＵＥであって、移動局ＵＥの受信状態を、連続受信状態、Ｓｈｏｒｔ-ＤＲＸ周期（第１間欠受信周期）で間欠受信を行うＳｈｏｒｔ-ＤＲＸ状態（第１間欠受信状態）、或いは、Ｓｈｏｒｔ-ＤＲＸ周期よりも長い周期であるＬｏｎｇ-ＤＲＸ周期で間欠受信を行うＬｏｎｇ-ＤＲＸ状態（第２間欠受信状態）のいずれかとして管理するように構成されている制御部２２を具備しており、制御部２２は、移動局ＵＥの受信状態を連続受信状態として管理している場合に、第１条件が満たされたことを検知すると、移動局ＵＥの受信状態をＳｈｏｒｔ-ＤＲＸ状態に遷移させるように構成されており、制御部２２は、移動局ＵＥの受信状態をＳｈｏｒｔ-ＤＲＸ状態として管理している場合に、第２条件が満たされたことを検知すると、移動局ＵＥの受信状態をＬｏｎｇ-ＤＲＸ状態に遷移させるように構成されており、制御部２２は、移動局ＵＥの受信状態を連続受信状態として管理しており、かつ、移動局ＵＥの受信状態をＳｈｏｒｔ-ＤＲＸ状態に遷移させることができるように設定されている場合であっても、無線基地局ｅＮＢからＭＡＣ-ＣＥ（ＭＡＣレイヤにおける制御要素）によって移動局ＵＥの受信状態をＬｏｎｇ-ＤＲＸ状態に遷移させるように指示された場合には、移動局ＵＥの受信状態をＳｈｏｒｔ-ＤＲＸ状態に遷移させることなくＬｏｎｇ-ＤＲＸ状態に遷移させるように構成されていることを要旨とする。
【００６７】
本実施形態の第１の特徴において、上述のＭＡＣ-ＣＥは、ペイロードを有しておらず、移動局ＵＥに対してＤＲＸ（間欠受信）状態に遷移させるために用いられるＤＲＸ-ｃｏｍｍａｎｄ  ＭＡＣ-ＣＥであり、制御部２２は、かかるＤＲＸ-ｃｏｍｍａｎｄ  ＭＡＣ-ＣＥの読み替え（所定情報）が指示されている場合（ＭＡＣレイヤにおける制御要素に関する所定情報を受信している場合）、かかるＤＲＸ-ｃｏｍｍａｎｄ  ＭＡＣ-ＣＥによって移動局ＵＥの受信状態をＬｏｎｇ-ＤＲＸ状態に遷移させるように指示されていると判断するように構成されていてもよい。
【００６８】
本実施形態の第２の特徴は、無線基地局ｅＮＢであって、移動局ＵＥの受信状態を、連続受信状態とＳｈｏｒｔ-ＤＲＸ状態とＬｏｎｇ-ＤＲＸ状態との間で遷移させることができるように構成されている制御部１１と、移動局ＵＥの受信状態が連続受信状態であり、移動局ＵＥの受信状態がＳｈｏｒｔ-ＤＲＸ状態に遷移させることができるように設定されている場合に、ＭＡＣ-ＣＥによって、移動局ＵＥの受信状態をＳｈｏｒｔ-ＤＲＸ状態に遷移させることなくＬｏｎｇ-ＤＲＸ状態に遷移させるための指示を行うように構成されている送信部１２とを具備することを要旨とする。
【００６９】
本実施形態の第２の特徴において、制御部１１は、移動局ＵＥのトラフィック及び移動局ＵＥの種別の少なくとも１つに基づいて、上述の指示を行うか否かについて決定するように構成されていてもよい。
【００７０】
かかる構成よれば、無線基地局ｅＮＢは、移動局ＵＥのトラフィックや移動局ＵＥの種別等に基づいて、移動局ＵＥの受信状態をＳｈｏｒｔ-ＤＲＸ状態に遷移させることなくＬｏｎｇ-ＤＲＸ状態に遷移させるべきか否かについて決定することができる。
【００７１】
本実施形態の第２の特徴において、制御部１１は、移動局ＵＥによって送信された情報に基づいて、上述の指示を行うか否かについて決定するように構成されていてもよい。
【００７２】
本実施形態の第２の特徴において、上述のＭＡＣ-ＣＥは、ＤＲＸ-ｃｏｍｍａｎｄ  ＭＡＣ-ＣＥであり、送信部１２は、かかるＤＲＸ-ｃｏｍｍａｎｄ  ＭＡＣ-ＣＥの読み替えを指示すること（ＭＡＣレイヤにおける制御要素に関する所定情報）によって、移動局ＵＥの受信状態をＳｈｏｒｔ-ＤＲＸ状態に遷移させることなくＬｏｎｇ-ＤＲＸ状態に遷移させるための指示を行うように構成されていてもよい。
【００７３】
かかる構成よれば、無線基地局ｅＮＢは、移動局ＵＥからの情報等に基づいて、移動局ＵＥの受信状態をＳｈｏｒｔ-ＤＲＸ状態に遷移させることなくＬｏｎｇ-ＤＲＸ状態に遷移させるべきか否かについて決定することができる。
【００７４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ｅＮＢ…無線基地局
ＵＥ…移動局
１１、２２…制御部
１２…送信部
２１…受信部
【図１】
2014072637.tif 000003
【図２】
2014072637.tif 000004
【図３】
2014072637.tif 000005
【図４】
2014072637.tif 000006
【図５】
2014072637.tif 000007
【図６】
2014072637.tif 000008
【図７】
2014072637.tif 000009
【図８】
2014072637.tif 000010
【図９】
2014072637.tif 000011
【図１０】
2014072637.tif 000012